(57)【要約】【課題】従来の金庫のイメージを覆して、第１に、隠匿が容易な金庫を提供すること、第２に、隠匿が容易で、且つ、耐火性を備えた金庫を提供すること。【解決手段】隠し金庫１は、金属、例えばアルミニウムの筐体２と蓋体３とからなり、前記筐体２の開口２０を蓋体３によって閉じた場合に密閉される紙幣収容部２１の大きさは、丁度、２００万円の紙幣を重ねて収容できるようになっている。よって、極めてコンパクトに金庫を構成することができるので、隠し金庫をステレオのスピーカキャビネの中等、意外性のある場所に隠すことができる。【選択図】　　　　図１
2004116254.tif 000002
【特許請求の範囲】
【請求項１】
紙幣専用の金庫であって、筐体とその筐体の開口を開閉する蓋体とからなり、
前記筐体に形成される紙幣収容部は、紙幣平面に対応する平面と、収容する紙幣の枚数に対応できる高さを備えていることを特徴とする隠し金庫。
【請求項２】
前記筐体と蓋体間を施錠する鍵が取付けられていることを特徴とする請求項１に記載の隠し金庫。
【請求項３】
前記紙幣収容部は、帯封された紙幣単位に対応していることを特徴とする請求項１に記載の隠し金庫。
【請求項４】
耐火性の外筒に収容できることを特徴とする請求項１に記載の隠し金庫。
【発明の詳細な説明】
【０００１】
【発明の属する技術分野】
この発明は、紙幣専用の金庫に関する。
【０００２】
【従来の技術】
通常、金庫は箱体とその箱体に設けられた開口を開閉する扉体から構成され、それぞれ金属製の内外枠にコンクリートを充填させて製造されている。
よって、耐火性に優れていると共に、その重量が大きいことから防犯性が図られている。例えば、特許文献１の「強奪防止金庫」では「金庫を一人で持ち運べない重量であること」をその特徴の１つにしている。
【０００３】
【特許文献１】
特開２００１−３５５３７７号公報（特許請求の範囲の欄，請求項１の記載（第２頁））
【０００４】
【発明が解決しようとする課題】
しかし、上記構成のために、金庫の設置場所は、例えば事務室の一隅に設置する等、人目につき易い場所に設置せざるを得ない。
しかも、上記特許文献１の図１Ａに記載されているように、金庫の扉体には、開閉用のダイヤルが付けられており、金庫であることが一目瞭然になっている。その結果、金庫自体が強盗に持ち去られたり、破られたりする事件が跡を絶たたず、金庫としての役割を果たせなくなっている。
【０００５】
そこで、本願発明は、従来の金庫のイメージを覆して、第１に、隠匿が容易な金庫を提供すること、第２に、隠匿が容易で、且つ、耐火性を備えた金庫を提供することを目的とする。
【０００６】
【課題を解決するための手段】
上記課題を解決するための隠し金庫は、紙幣専用の金庫であって、筐体とその筐体の開口を開閉する蓋体とからなり、前記筐体に形成される紙幣収容部は、紙幣平面に対応する平面と、収容する紙幣の枚数に対応できる高さを備えていることを特徴とする（請求項１の発明）。
空間部を備えた筐体に形成される紙幣収容部は、紙幣平面に対応する平面を備えているので、収容する紙幣の枚数に応じて形成する高さを、例えば１００万円用、２００万円用とすることができる。よって、極めてコンパクトに金庫を構成することができるので、このような金庫をステレオのスピーカキャビネの中等、意外性のある場所に隠すことができる。
【０００７】
上記発明において、前記筐体と蓋体間を施錠する鍵が取付けられていることを特徴とする（請求項２の発明）。
隠し金庫の紙幣収容部内の紙幣が、安易に取出せないようになっている。
【０００８】
上記発明において、前記紙幣収容部は、帯封された紙幣の少なくとも１単位の高さに対応していることを特徴とする（請求項３の発明）。
通常、日本円の場合、１００万円単位で帯封されるが、前記紙幣収容部の高さが、１００万円、２００万円等、帯封単位に形成されていれば、紙幣の出し入れが容易であり、また、使い勝手が良い隠し金庫となっている。
【０００９】
上記発明の隠し金庫は、耐火性の外筒に収容できることを特徴とする（請求項４の発明）。万が一の火災の場合にも、大事な財産を守ることができる。
【００１０】
【発明の実施の形態】
本発明に係る隠し金庫の実施形態を図面に基づいて説明する。
図１は隠し金庫の斜視図、図２Ａ〜Ｄは筐体の平面図、正面図、左右側面図、図３Ａ〜Ｅは蓋体の平面図、左右側面図、背面図、正面図である。
これらの各図及び後述する各図において同一の構成は同一の符号を用いて示し、詳細な説明を省略する。
【００１１】
隠し金庫１は、金属、例えばアルミニウムの筐体２と蓋体３とからなり、前記筐体２の開口２０を蓋体３によって閉じた場合に密閉される紙幣収容部２１の大きさは、丁度、２００万円の紙幣を重ねて収容できるようになっている。
具体的な寸法は、横幅Ｗ１が約１８０ｍｍ、縦幅Ｗ２が約８２ｍｍ、高幅Ｗ３が約２５ｍｍとなっている。よって、従来の金庫のイメージとは全く異なる外観を備え、またコンパクトでもあるので、意外性のある場所に隠すことができる。
【００１２】
前記筐体２は、その空間部によって紙幣収納部２１を形成するもので、その開口２０が紙幣４の出し入れ用口となっている。
【００１３】
前記蓋体３は、前記筐体２の開口２０の内壁２２０に密着できる凸部３０と前記開口２２の側壁２２１に密着できる鍔部３１を備えている。
【００１４】
前記紙幣収容部２１のサイズは、図１に示したように、紙幣４の平面４０に対応する平面２１０を備え、収容する紙幣の枚数、例えば２００枚の重ね高さに応じて形成する高さ２１１を備えている。
【００１５】
前記蓋体３の凸部３０内には、鍵５が取付けられ、凸部３０の切欠き３２を介して鍵先が出没可能になっている。一方、前記筐体２には鍵先を受入れる凹部２２が形成されている。
【００１６】
この隠し金庫１の隠し場所は、ステレオのスピーカキャビネ内を例示したが、利用者の思付きにより、それぞれ自由に工夫すればよい。
【００１７】
なお、前記金庫の表面に迷彩模様などを印刷等により施し、カムフラージュ化しても良い。
【００１８】
次に、上記のように構成された隠し金庫１を収容する耐火性の外筒６の構成例について、図４に基づいて説明する。
この外筒６は、耐火石膏ボードにより構成されており、前記金庫１を収容する空間部６００を備えた本体６０と、その空間部６００に前記金庫１を収容した後、その開口６１を覆う蓋体６２から構成されている。
石膏ボードは、その特徴として、約２０％の結晶水が含まれており、その結晶水がなくなるまで、温度が上昇し難くなっている。
よって、火災から大事な財産を守ることができるようになっている。
また、石膏ボードは、その外観について装飾化が容易であり、前記金庫１のカムフラージュ化に最適である。例えば、外筒６をレンガ風に加工することもできる。
【００１９】
なお、前記隠し金庫１を内層とし、前記外筒６を中層とし、さらに外層に難燃性繊維を巻いて、それぞれ一体化した隠し金庫７でもよい。
即ち、図５の隠し金庫７の中央横断面図に示されているように、内層７０に金属、中層７１に耐火石膏ボード、外層７２に難燃性繊維を配置している。
前記外層７２の難燃性繊維は、例えばアラミド繊維を用いる。このアラミド繊維は、防炎性、耐熱性を備えたもので、消防服にも採用されているものである。なお、この一体化した隠し金庫７の場合、紙幣を収容する本体に上記三層構造を用い、本体の開口を覆う蓋体を石膏ボードのみから構成してもよい。
【００２０】
外層７２に耐火石膏ボード、中層７１に金属、内層７０に難燃性繊維を配置してもよい。内外層７０，７２に金属、中層７１に耐火石膏ボードでもよい。また内外層７２，７０に難燃性繊維、中層７１に金属或いは耐火石膏ボードでもよい。
その他の構成は、上記各実施形態と同様である。
【００２１】
【発明の効果】
請求項１に記載の発明によれば、極めてコンパクトに金庫を構成することができるので、隠し金庫をステレオのスピーカキャビネの中等、意外性のある場所に隠すことができる。
【００２２】
請求項２に記載の発明によれば、隠し金庫の紙幣収容部内の紙幣が、安易に取出せないようになっている。
【００２３】
請求項３に記載の発明によれば、紙幣の出し入れが容易であり、また、使い勝手が良い隠し金庫となっている。
【００２４】
請求項４に記載の発明によれば、万が一の火災の場合にも、大事な財産を守ることができる。
【図面の簡単な説明】
【図１】第１実施形態に係る隠し金庫の斜視図、
【図２】Ａ〜Ｄは筐体の平面図、正面図、左右側面図、
【図３】Ａ〜Ｅは蓋体の平面図、左右側面図、背面図、正面図、
【図４】外筒の斜視図、
【図５】第２実施形態に係る隠し金庫の中央横断面図。
【符号の説明】
１　７　隠し金庫　　　　　　　　　２　筐体
３　蓋体　　　　　　　　　　　　　４　紙幣
５　鍵　　　　　　　　　　　　　　６　外筒
２０　開口　　　　　　　　　　　　２１　紙幣収容部
２２　凹部
２１０　平面　　　　　　　　　　　２１１　高さ
２２０　内壁　　　　　　　　　　　２２１　側壁
３０　凸部　　　　　　　　　　　　３１　鍔部
３２　切欠き
４０　平面
６０　本体　　　　　　　　　　　　６１　蓋体
７０　内層
７１　中層
７２　外層
【図１】
2004116254.tif 000003
【図２】
2004116254.tif 000004
【図３】
2004116254.tif 000005
【図４】
2004116254.tif 000006
【図５】
2004116254.tif 000007